(57)【要約】【課題】投影装置で操作に手間取らずにディジタルズームを実行する。【解決手段】投影装置1及びリモートコントローラ30を備える投影システムであって、リモートコントローラ30は、格子状に配列され、領域指定用に操作される複数の領域指定キー32と、第１のモードと第２のモードとを切り替える切替指示キー31と、入力に応じた指示信号を投影装置1に送信する送光部33とを備え、投影装置1は、画像を投影する投影系（11〜19）と、指示信号を受信する受光部24と、投影する画像を投影対象に対して等倍で投影する第１のモードと、投影する画像の一部を拡大して投影する第２のモードとを切り替え、かつ投影する画像を領域指定キー32の配列に対応させて複数の領域に区分して管理し、かつ複数の領域のうちの１つを指定し、かつ指定した領域の画像を拡大して投影させるＣＰＵ20とを備える。【選択図】図１
2012203367.tif 000002
【特許請求の範囲】
【請求項１】
入力される画像データに応じた画像を投影対象に向けて投影する投影装置と、前記投影装置での各種動作を指示するリモートコントローラとを有する投影システムであって、
前記リモートコントローラは、
格子状に配列され、領域指定用に操作される複数のキーと、
第１のモードと第２のモードとを切り替える切替指示手段と、
前記キー及び前記切替指示手段の入力に応じた指示信号を前記投影装置に送信する送信手段と
を備え、
前記投影装置は、
画像を投影する投影手段と、
前記送信手段から送信された指示信号を受信する受信手段と、
前記受信手段で受信した前記切替指示手段の入力に応じた指示信号に従い、前記投影手段で投影する画像を投影対象に対して等倍で投影する第１のモードと、前記投影手段で投影する画像の一部を拡大して投影する第２のモードと、を切り替えるモード切替手段と、
前記モード切替手段で前記第１のモードから前記第２のモードに切り替えると、前記投影手段で投影する画像を前記キーの配列に対応させて複数の領域に区分して管理する画像管理手段と、
前記受信手段で受信した前記キーの入力に応じた指示信号に従い、前記画像管理手段で管理する複数の領域のうちの１つを指定する領域指定手段と、
前記投影手段が投影する前記領域指定手段で指定した領域の画像を拡大して投影させる投影制御手段と、
を備えたことを特徴とする投影システム。
【請求項２】
前記投影装置は、前記投影手段で投影する画像に、前記各領域の区分を示す画像を重畳させる重畳手段を更に備えたことを特徴とする請求項１記載の投影システム。
【請求項３】
前記投影制御手段は、前記投影手段が投影する前記領域指定手段で指定した画像を段階的に拡大して投影させることを特徴とする請求項１記載の投影システム。
【請求項４】
入力される画像データに応じた画像を投影対象に向けて投影する投影部と、各種動作を指示するリモートコントローラからの指示信号を受信する受信部とを備えた投影装置であって、
画像を投影する投影手段と、
前記受信部で受信した指示信号に従い、前記投影手段で投影する画像を投影対象に対して等倍で投影する第１のモードと、前記投影手段で投影する画像の一部を拡大して投影する第２のモードと、を切り替えるモード切替手段と、
前記モード切替手段で前記第１のモードから前記第２のモードに切り替えると、前記投影手段で投影する画像を前記リモートコントローラの少なくとも一部のキー配列に対応させて複数の領域に区分して管理する画像管理手段と、
前記受信手段で受信した指示信号に従い、前記画像管理手段で管理する複数の領域のうちの１つを指定する領域指定手段と、
前記投影手段が投影する前記領域指定手段で指定した領域の画像を拡大して投影させる投影制御手段と、
を備えたことを特徴とする投影装置。
【請求項５】
前記投影装置は、前記投影手段で投影する画像に、前記各領域の区分を示す画像を重畳させる重畳手段を更に備えたことを特徴とする請求項４記載の投影装置。
【請求項６】
前記投影制御手段は、前記投影手段が投影する前記領域指定手段で指定した画像を段階的に拡大して投影させることを特徴とする請求項４記載の投影装置。
【請求項７】
入力される画像データに応じた画像を投影対象に向けて投影する投影部と、各種動作を指示するリモートコントローラからの指示信号を受信する受信部とを備えた装置の投影方法であって、
前記受信部で受信した指示信号に従い、前記投影部で投影する画像を投影対象に対して等倍で投影する第１のモードと、前記投影部で投影する画像の一部を拡大して投影する第２のモードと、を切り替えるモード切替工程と、
前記モード切替工程で前記第１のモードから前記第２のモードに切り替えると、前記投影部で投影する画像を前記リモートコントローラの少なくとも一部のキー配列に対応させて複数の領域に区分して管理する画像管理工程と、
前記受信部で受信した指示信号に従い、前記画像管理工程で管理する複数の領域のうちの１つを指定する領域指定工程と、
前記投影部が投影する前記領域指定工程で指定した領域の画像を拡大して投影させる投影制御工程と、
を有したことを特徴とする投影方法。
【請求項８】
入力される画像データに応じた画像を投影対象に向けて投影する投影部と、各種動作を指示するリモートコントローラからの指示信号を受信する受信部とを備えた投影装置が内蔵するコンピュータが実行するプログラムであって、
前記コンピュータを、
前記受信部で受信した指示信号に従い、前記投影部で投影する画像を投影対象に対して等倍で投影する第１のモードと、前記投影部で投影する画像の一部を拡大して投影する第２のモードと、を切り替えるモード切替手段、
前記モード切替手段で前記第１のモードから前記第２のモードに切り替えると、前記投影部で投影する画像を前記リモートコントローラの少なくとも一部のキー配列に対応させて複数の領域に区分して管理する画像管理手段、
前記受信部で受信した指示信号に従い、前記画像管理手段で管理する複数の領域のうちの１つを指定する領域指定手段、
前記投影部が投影する前記領域指定手段で指定した領域の画像を拡大して投影させる投影制御手段、
として機能させることを特徴とするプログラム。
【発明の詳細な説明】
【技術分野】
【０００１】
本発明は、例えばプロジェクタ装置等に好適な投影システム、投影装置、投影方法及びプログラムに関する。
【背景技術】
【０００２】
従来、投影装置でディジタルズームを用いるために、位置を示すためのアイコンを投影画面上に表示させ、所定のキー操作によりこのアイコンをディジタルズームさせたい位置に移動させ、ディジタルズームを実行する、表示装置に関する技術が考えられていた。（例えば、特許文献１）
【先行技術文献】
【特許文献】
【０００３】
【特許文献１】特開２００９−１６２９４７号公報
【発明の概要】
【発明が解決しようとする課題】
【０００４】
上記特許文献に記載されたものを含めて従来の技術では、位置を示すためのアイコンを投影画面上に表示させ、所定のキー操作によりこのアイコンをディジタルズームさせたい位置に移動させた後にディジタルズームを実行するため、操作が煩雑であるという不具合がある。
【０００５】
本発明は上記のような実情に鑑みてなされたもので、その目的とするところは、投影装置でディジタルズームを利用する際に、操作に手間取らずにディジタルズームを実行可能な投影システム、投影装置、投影方法及びプログラムを提供することにある。
【課題を解決するための手段】
【０００６】
本発明の一態様は、入力される画像データに応じた画像を投影対象に向けて投影する投影装置と、前記投影装置での各種動作を指示するリモートコントローラとを有する投影システムであって、前記リモートコントローラは、格子状に配列され、領域指定用に操作される複数のキーと、第１のモードと第２のモードとを切り替える切替指示手段と、前記キー及び前記切替指示手段の入力に応じた指示信号を前記投影装置に送信する送信手段とを備え、前記投影装置は、画像を投影する投影手段と、前記送信手段から送信された指示信号を受信する受信手段と、前記受信手段で受信した前記切替指示手段の入力に応じた指示信号に従い、前記投影手段で投影する画像を投影対象に対して等倍で投影する第１のモードと、前記投影手段で投影する画像の一部を拡大して投影する第２のモードと、を切り替えるモード切替手段と、前記モード切替手段で前記第１のモードから前記第２のモードに切り替えると、前記投影手段で投影する画像を前記キーの配列に対応させて複数の領域に区分して管理する画像管理手段と、前記受信手段で受信した前記キーの入力に応じた指示信号に従い、前記画像管理手段で管理する複数の領域のうちの１つを指定する領域指定手段と、前記投影手段が投影する前記領域指定手段で指定した領域の画像を拡大して投影させる投影制御手段と、を備えたことを特徴とする。
【発明の効果】
【０００７】
本発明によれば、投影装置でディジタルズームを利用する際に、操作に手間取らずにディジタルズームを実行することが可能となる。
【図面の簡単な説明】
【０００８】
【図１】本発明の一実施形態に係る投影装置が備える電子回路の概略機能構成の一例を示すブロック図。
【図２】同実施形態に係る投影装置専用のリモートコントローラの外観の一例を示す模式図。
【図３】同実施形態に係る投影装置専用のリモートコントローラであり、ディジタルズームモード時のリモートコントローラの向きの一例を示す模式図。
【図４】同実施形態に係る投影装置の動作の一例を示すフローチャート。
【図５】同実施形態に係る投影装置により投影された拡大前の画像の一例を示す模式図。
【図６】同実施形態に係る投影装置により投影された拡大後の画像の一例を示す模式図。
【発明を実施するための形態】
【０００９】
以下、本発明の一実施形態について、詳細に説明する。
【００１０】
図１は、本発明の一実施形態に係る投影装置が備える電子回路の概略機能構成の一例を示すブロック図である。
【００１１】
入力コネクタ部１１は、例えばピンジャック（RCA）タイプのビデオ入力端子、及びＤ−ｓｕｂ１５タイプのＲＧＢ入力端子を含む。
【００１２】
入力コネクタ部１１より入力される各種規格の画像信号は、入力インターフェース（I/F）１２、システムバスＳＢを介し、一般にスケーラとも称される画像変換部１３に入力される。
【００１３】
画像変換部１３は、入力コネクタ部１１より入力された画像信号を投影に適した所定のフォーマットの画像データに統一し、適宜表示用のバッファメモリであるビデオＲＡＭ（Random Access Memory）１４に記憶した後に、投影画像処理部１５に送信する。
【００１４】
この際、ＯＳＤ（On Screen Display）用の各種動作状態を示すシンボル等のデータも必要に応じてビデオＲＡＭ１４で画像データに重畳加工され、加工後の画像データが投影画像処理部１５に送信される。
【００１５】
投影画像処理部１５は、画像変換部１３から送信された画像データに応じて、所定のフォーマットに従ったフレームレート、例えば６０［フレーム／秒］と色成分の分割数、及び表示階調数を乗算した、より高速な時分割駆動により、空間的光変調素子（SLM）であるマイクロミラー素子１６を表示駆動する。
【００１６】
マイクロミラー素子１６は、アレイ状に配列された複数、例えばＷＸＧＡ（横１２８０×縦８００ドット）分の微小ミラーの各傾斜角度を個々に高速でオン／オフ動作することでその反射光により光像を形成する。
【００１７】
光源部１７は、投影装置１の光源として機能し、輝度分布が均一な光束をミラー１８に出力する。
【００１８】
ミラー１８は、光源部１７より出力された光束を全反射し、この光束を上記マイクロミラー素子１６に照射する。そしてマイクロミラー素子１６での反射光により光像が形成され、形成された光像が投影レンズユニット１９を介して、投影対象となるここでは図示しないスクリーンに投影表示される。
【００１９】
上記回路の動作全てをＣＰＵ（Central Processing Unit）２０が制御する。このＣＰＵ２０は、メインメモリ２１及びプログラムメモリ２２と接続される。メインメモリ２１は、例えばＳＲＡＭ（Static RAM）で構成され、ワークメモリとして機能する。プログラムメモリ２２は、例えば動作プログラムや各種定型データ等を記憶したＥＥＰＲＯＭ（電気的に書換不能な不揮発性メモリ）で構成される。ＣＰＵ２０は、メインメモリ２１及びプログラムメモリ２２を用いることで、この投影装置１内全般の制御動作を実行する。
【００２０】
上記ＣＰＵ２０は、キー操作部２３及び受光部２４からのキー操作信号に応じて各種投影動作を実行する。キー操作部２３は、投影装置１の本体に設けられる。受光部２４は、この投影装置専用の後述するリモートコントローラ３０からの赤外光を受信する。ユーザが直接キー操作部２３を操作した場合、及び受光部２４を介してリモートコントローラ３０からのキー操作信号を入力した場合、当該キー操作信号はＣＰＵ２０に入力され、ＣＰＵ２０はそのキー操作信号に対応した動作を実行する。
【００２１】
具体的には、ＣＰＵ２０は、受光部２４で受信したキー操作信号に従い、投影レンズユニット１９で投影する画像を投影対象に対して等倍で投影する第１のモードと、この画像の一部を拡大して投影する第２のモードとを切り替える。なお、以下では、第１のモードを「通常モード」と称し、第２のモードを「ディジタルズームモード」と称する。
【００２２】
また、ＣＰＵ２０は、投影モードを通常モードからディジタルズームモードに切り替えると、投影レンズユニット１９で投影する画像をリモートコントローラ３０の後述する領域指定キー３２の配列に対応させて複数の領域に区分して管理する。更に、ＣＰＵ２０は、領域指定キー３２の入力に応じたキー操作信号に従い、管理する複数の領域のうちの１つを指定し、この指定した領域の画像に応じた画像データを画像変換部１３に送信する。
【００２３】
なお、画像変換部１３は、ＣＰＵ２０から送信された画像データを受けると、当該受信した画像データを所定の倍率に従って拡大した後に投影画像処理部１５に送信する。投影画像処理部１５は、画像変換部１３から送信された拡大後の画像データを受けると、当該受信した画像データに応じた画像を、マイクロミラー素子１６を介して、投影レンズユニット１９に投影させる。
【００２４】
図２は、上記投影装置専用のリモートコントローラの外観の一例を示す模式図である。
【００２５】
リモートコントローラ３０は、図２に示すように、切替指示キー３１、領域指定キー３２及び送光部３３を備えている。切替指示キー３１は、通常モードとディジタルズームモードとを切り替えるキーであり、領域指定キー３２は、通常モード時に、各種機能キーとして使用される、格子状に配列されたキー群である。また、この領域指定キー３２は、格子状に配列されていることから、ディジタルズームモード時に複数の領域のうちの１つを指定するキーとなる。また、送光部３３は、リモートコントローラ３０の各種キーの入力に応じたキー操作信号を投影装置１に送信する。
【００２６】
なお、ユーザは、ディジタルズームモード時には、図３に示すように、リモートコントローラ３０を９０度右に回転させる、すなわちリモートコントローラ３０を盤面の「領域指定キー」の文字列に合せて横持ちにして使用する。この場合、リモートコントローラ３０に備えられた複数の領域指定キー３２（横４×縦３）はここでは図示しないスクリーンに見立てられる。例えば、複数の領域指定キー３２のうち、右上（１行４列）に位置する領域指定キー３２は、後述する図５に示すように、スクリーンＳＣの右上斜線の領域を示す。
【００２７】
ここで、本実施形態では、リモートコントローラ３０は投影モードを通常モードからディジタルズームモードに切り替えるために切替指示キー３１を備えているものとしたが、これに限定されず、例えば、領域指定キー３２を長押しすることによって通常モードからディジタルズームモードに切替可能なリモートコントローラ等が適用可能である。
【００２８】
また、本実施形態では、リモートコントローラ３０が上記キー配列（横４×縦３）の領域指定キー３２を備えているものとしたが、これに限定されず、例えば、「横６×縦４」のキー配列の領域指定キー３２をもつリモートコントローラ等が適用可能である。
【００２９】
次に、以上のように構成された投影装置の動作について、図４のフローチャートを参照しながら説明する。
【００３０】
なお、上述した如く以下に示す動作は全て、ＣＰＵ２０がプログラムメモリ２２から読出した動作プログラムや固定データ等をメインメモリ２１に展開して記憶させた上で実行する。
【００３１】
また、ビデオＲＡＭ１４には、投影レンズユニット１９を介して通常モード時に投影された画像データが展開記憶されているものとする。
【００３２】
始めに、ＣＰＵ２０は、ビデオＲＡＭ１４に展開記憶された画像を、投影処理部１５及びマイクロミラー素子１６を介して、投影レンズユニット１９に投影させる（ステップＳ１０１）。
【００３３】
続いて、ＣＰＵ２０は、受光部２４において所定のキー操作信号を受信したか否かを判定する（ステップＳ１０２）。なお、ステップＳ１０２の判定結果が否を示す場合（ステップＳ１０２：「Ｎｏ」）には、ステップＳ１０１に戻る。
【００３４】
ステップＳ１０２の判定結果がキー操作信号を受信した旨を示す場合（ステップＳ１０２：「Ｙｅｓ」）には、ＣＰＵ２０は、当該受信されたキー操作信号が切替指示キー３１の入力に応じたキー操作信号であるか否かを判定する（ステップＳ１０３）。
【００３５】
ステップＳ１０３の判定結果が否を示す場合（ステップＳ１０３：「Ｎｏ」）には、ＣＰＵ２０は、当該受信されたキー操作信号が領域指定キー３２の入力に応じたキー操作信号であるか否かを判定する（ステップＳ１０４）。なお、ステップＳ１０４の判定結果が否を示す場合（ステップＳ１０４：「Ｎｏ」）には、後述するステップＳ１０６に進む。
【００３６】
ステップＳ１０４の判定結果が領域指定キー３２の入力に応じたキー操作信号である旨を示す場合（ステップＳ１０４：「Ｙｅｓ」）には、ＣＰＵ２０は、現在ディジタルズームモードであるか否かを判定する（ステップＳ１０５）。
【００３７】
ステップＳ１０５の判定結果が否を示す場合（ステップＳ１０５：「Ｎｏ」）には、ＣＰＵ２０は、当該受信されたキー操作信号に応じた動作を実行し（ステップＳ１０６）、ステップＳ１０１に戻る。なお、本実施形態では、切替指示キー３１及び領域指定キー３２を除く各種キーの入力に応じた動作の詳細な説明は省略する。
【００３８】
ステップＳ１０５の判定結果がディジタルズームモードである旨を示す場合（ステップＳ１０５：「Ｙｅｓ」）には、ＣＰＵ２０は、当該受信された領域指定キー３２の入力に応じたキー操作信号に従って、１つの領域を指定する（ステップＳ１０７）。なお、ＣＰＵ２０は、投影モードを通常モードからディジタルズームモードに切り替えた際に、ステップＳ１０１において投影させた画像を領域指定キー３２のキー配列に対応させて複数の領域に区分して管理しているものとする。
【００３９】
次に、ＣＰＵ２０は、指定した領域の画像の拡大倍率が予め段階的に設定された拡大倍率の最大の値であるか否かを判定する（ステップＳ１０８）。なお、ステップＳ１０８の判定結果が最大である旨を示す場合（ステップＳ１０８：「Ｙｅｓ」）には、ステップＳ１０１に戻る。
【００４０】
ステップＳ１０８の判定結果が否を示す場合（ステップＳ１０８：「Ｎｏ」）には、ＣＰＵ２０は、指定した領域の画像に応じた画像データをビデオＲＡＭ１４から読出した後に、この画像データを画像変換部１３に拡大させる（ステップＳ１０９）。
【００４１】
なお、ＣＰＵ２０は、予め段階的に設定された拡大倍率を現在の倍率から１段階上げるように、指定した領域の画像に応じた画像データを拡大させる。
【００４２】
例えば、予め設定された拡大倍率が「２．０」、「２．５」及び「３．０」を示し、かつ現在の倍率が「１．０（等倍）」を示す場合、ＣＰＵ２０は指定した領域の画像に応じた画像データの倍率を「１．０」から「２．０」に拡大させる。なお、本実施形態では、拡大倍率が「２．０」、「２．５」及び「３．０」を示すとしたが、これに限定されず、任意の値を段階的に設定することが可能である。
【００４３】
また、本実施形態では、ＣＰＵ２０は、拡大倍率を現在の倍率から１段階上げるように拡大させるものとしたが、これに限定されず、拡大倍率を現在の倍率から２段階以上上げることも可能である。この場合、ＣＰＵ２０は、受光部２４を介して、領域指定キー３２の入力に応じたキー動作信号を再度受信する必要がある。すなわち、ユーザは、領域指定キー３２を２度押下することによって、拡大倍率を２段階上げることが可能となり、３度押下することによって、拡大倍率を３段階上げることが可能となる。
【００４４】
続いて、ＣＰＵ２０は、拡大された画像データを指定された領域に応じて、投影画像処理部１５及びマイクロミラー素子１６を介して、投影レンズユニット１９に拡大して投影させ（ステップＳ１１０）、ステップＳ１０１に戻る。
【００４５】
なお、図５は、本実施形態に係る投影装置により投影された拡大前の画像の一例を示す模式図であり、図６は、本実施形態に係る投影装置により投影された拡大後の画像の一例を示す模式図である。この場合、ＣＰＵ２０は、図５に示す斜線部の領域の画像を図６に示す斜線部の領域まで拡大して投影させている。
【００４６】
ステップＳ１０３の判定結果が切替指示キー３１の入力に応じたキー操作信号である旨を示す場合（ステップＳ１０３：「Ｙｅｓ」）には、ＣＰＵ２０は、現在ディジタルズームモードであるか否かを判定する（ステップＳ１１１）。
【００４７】
ステップＳ１１１の判定結果が否を示す場合（ステップＳ１１１：「Ｎｏ」）には、ＣＰＵ２０は、当該受信されたキー操作信号に従って、投影モードを通常モードからディジタルズームモードに切り替え（ステップＳ１１２）、ステップＳ１０１に戻る。
【００４８】
なお、ＣＰＵ２０は、投影モードを通常モードからディジタルズームモードに切り替えると、ステップＳ１０１において投影させた画像を領域指定キー３２のキー配列に対応させて複数の領域に区分して管理する。
【００４９】
具体的には、ＣＰＵ２０は、通常モード時に投影させた画像を、リモートコントローラ３０の領域指定キー３２の配列（横４×縦３）に対応させて１２の領域に区分して管理する。なお、ＣＰＵ２０は、通常モード時に投影させた画像を領域指定キー３２の配列に対応させて複数の領域に区分して管理する際に、通常モード時に投影させた画像に各領域の区分を示す画像を重畳させた後に、ステップＳ１０１に戻るようにしてもよい。
【００５０】
ステップＳ１１１の判定結果がディジタルズームモードである旨を示す場合（ステップＳ１１１：「Ｙｅｓ」）には、ＣＰＵ２０は、投影モードをディジタルズームモードから通常モードに切り替える（ステップＳ１１３）。すなわち、ＣＰＵ２０は、ディジタルズームモードを解除し、投影モードを通常モードに切り替える。
【００５１】
しかる後に、ＣＰＵ２０は、ディジタルズームモード時に拡大して投影させた画像に応じた画像データを画像変換部１３に送信し、かつ元の大きさに戻させ（ステップＳ１１４）、ステップＳ１０１に戻る。
【００５２】
以上詳述した如く本実施形態によれば、投影装置でディジタルズームを利用する際に、操作に手間取らずにディジタルズームを実行することができる。
【００５３】
なお、上記実施形態においては、投影する画像に各領域を区分するための画像を重畳させるものとしたので、ユーザが各領域を容易に識別可能となり、各領域を容易に指定することができる。
【００５４】
また、上記実施形態においては、指定した領域の画像を段階的に拡大するものとしたので、ユーザがディジタルズームを利用する度に、拡大倍率を手動で設定する必要がなく、操作に手間取らずにディジタルズームを実行することができる。
【００５５】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００５６】
以下に、本願の出願当初の特許請求の範囲に記載された発明を付記する。
【００５７】
請求項１記載の発明は、入力される画像データに応じた画像を投影対象に向けて投影する投影装置と、前記投影装置での各種動作を指示するリモートコントローラとを有する投影システムであって、前記リモートコントローラは、格子状に配列され、領域指定用に操作される複数のキーと、第１のモードと第２のモードとを切り替える切替指示手段と、前記キー及び前記切替指示手段の入力に応じた指示信号を前記投影装置に送信する送信手段とを備え、前記投影装置は、画像を投影する投影手段と、前記送信手段から送信された指示信号を受信する受信手段と、前記受信手段で受信した前記切替指示手段の入力に応じた指示信号に従い、前記投影手段で投影する画像を投影対象に対して等倍で投影する第１のモードと、前記投影手段で投影する画像の一部を拡大して投影する第２のモードと、を切り替えるモード切替手段と、前記モード切替手段で前記第１のモードから前記第２のモードに切り替えると、前記投影手段で投影する画像を前記キーの配列に対応させて複数の領域に区分して管理する画像管理手段と、前記受信手段で受信した前記キーの入力に応じた指示信号に従い、前記画像管理手段で管理する複数の領域のうちの１つを指定する領域指定手段と、前記投影手段が投影する前記領域指定手段で指定した領域の画像を拡大して投影させる投影制御手段と、を備えたことを特徴とする。
【００５８】
請求項２記載の発明は、上記請求項１記載の発明において、前記投影装置は、前記投影手段で投影する画像に、前記各領域の区分を示す画像を重畳させる重畳手段を更に備えたことを特徴とする。
【００５９】
請求項３記載の発明は、上記請求項１記載の発明において、前記投影制御手段は、前記投影手段が投影する前記領域指定手段で指定した画像を段階的に拡大して投影させることを特徴とする。
【００６０】
請求項４記載の発明は、入力される画像データに応じた画像を投影対象に向けて投影する投影部と、各種動作を指示するリモートコントローラからの指示信号を受信する受信部とを備えた投影装置であって、画像を投影する投影手段と、前記受信部で受信した指示信号に従い、前記投影手段で投影する画像を投影対象に対して等倍で投影する第１のモードと、前記投影手段で投影する画像の一部を拡大して投影する第２のモードと、を切り替えるモード切替手段と、前記モード切替手段で前記第１のモードから前記第２のモードに切り替えると、前記投影手段で投影する画像を前記リモートコントローラの少なくとも一部のキー配列に対応させて複数の領域に区分して管理する画像管理手段と、前記受信手段で受信した指示信号に従い、前記画像管理手段で管理する複数の領域のうちの１つを指定する領域指定手段と、前記投影手段が投影する前記領域指定手段で指定した領域の画像を拡大して投影させる投影制御手段と、を備えたことを特徴とする。
【００６１】
請求項５記載の発明は、上記請求項４記載の発明において、前記投影装置は、前記投影手段で投影する画像に、前記各領域の区分を示す画像を重畳させる重畳手段を更に備えたことを特徴とする。
【００６２】
請求項６記載の発明は、上記請求項４記載の発明において、前記投影制御手段は、前記投影手段が投影する前記領域指定手段で指定した画像を段階的に拡大して投影させることを特徴とする。
【００６３】
請求項７記載の発明は、入力される画像データに応じた画像を投影対象に向けて投影する投影部と、各種動作を指示するリモートコントローラからの指示信号を受信する受信部とを備えた装置の投影方法であって、前記受信部で受信した指示信号に従い、前記投影部で投影する画像を投影対象に対して等倍で投影する第１のモードと、前記投影部で投影する画像の一部を拡大して投影する第２のモードと、を切り替えるモード切替工程と、前記モード切替工程で前記第１のモードから前記第２のモードに切り替えると、前記投影部で投影する画像を前記リモートコントローラの少なくとも一部のキー配列に対応させて複数の領域に区分して管理する画像管理工程と、前記受信部で受信した指示信号に従い、前記画像管理工程で管理する複数の領域のうちの１つを指定する領域指定工程と、前記投影部が投影する前記領域指定工程で指定した領域の画像を拡大して投影させる投影制御工程と、を有したことを特徴とする。
【００６４】
請求項８記載の発明は、入力される画像データに応じた画像を投影対象に向けて投影する投影部と、各種動作を指示するリモートコントローラからの指示信号を受信する受信部とを備えた投影装置が内蔵するコンピュータが実行するプログラムであって、前記コンピュータを、前記受信部で受信した指示信号に従い、前記投影部で投影する画像を投影対象に対して等倍で投影する第１のモードと、前記投影部で投影する画像の一部を拡大して投影する第２のモードと、を切り替えるモード切替手段、前記モード切替手段で前記第１のモードから前記第２のモードに切り替えると、前記投影部で投影する画像を前記リモートコントローラの少なくとも一部のキー配列に対応させて複数の領域に区分して管理する画像管理手段、前記受信部で受信した指示信号に従い、前記画像管理手段で管理する複数の領域のうちの１つを指定する領域指定手段、前記投影部が投影する前記領域指定手段で指定した領域の画像を拡大して投影させる投影制御手段、として機能させることを特徴とする。
【符号の説明】
【００６５】
１…投影装置、１１…入力コネクタ部、１２…入力Ｉ／Ｆ、１３…画像変換部（スケーラ）、１４…ビデオＲＡＭ、１５…投影画像処理部、１６…マイクロミラー素子、１７…光源部、１８…ミラー、１９…投影レンズユニット、２０…ＣＰＵ、２１…メインメモリ、２２…プログラムメモリ、２３…キー操作部、２４…受光部、３０…リモートコントローラ、３１…ディジタルズームモードキー、３２…区画指定キー、３３…送光部、ＳＢ…システムバス、ＳＣ…スクリーン。
【図１】
2012203367.tif 000003
【図２】
2012203367.tif 000004
【図３】
2012203367.tif 000005
【図４】
2012203367.tif 000006
【図５】
2012203367.tif 000007
【図６】
2012203367.tif 000008